(57)【要約】【課題】従来品と同様に筐体を固定する機能を保ちつつ、容易に取り外しができる、電子機器のための固定部材と、この固定部材を用いる電子機器を提供する。【解決手段】表示装置の筐体の側面に設けられているラックと、固定部材の係止部材の先端に設けられている、ラックに噛み合う歯止めは、ラチェットを構成する。係止部材はレバーを押すことで、弾性変形する梁を中心に回動する。固定部材は、レバーを筐体の方向へ軽く押し込むだけで、ラチェットの解除ができる。【選択図】図１
2018037609.tif 000002
【特許請求の範囲】
【請求項１】
側面に鋸歯状のラックが形成されている柱体である筐体と、
前記筐体の正面に設けられ、前記筐体の正面及び背面より大きく形成されるパネルと
を具備する電子機器本体と、
前記筐体を構成する前記柱体の底面から嵌め込まれて筐体を構成する前記柱体の前記側面を平行移動可能な本体部と、
前記パネルと協働して任意の板等を挟み込む押圧部材と、
前記押圧部材と前記本体部との間に設けられた弾性部材と、
前記本体部に形成される梁と、
前記梁の一部に形成され、前記ラックと噛み合う歯止めを有する係止部材と、
前記係止部材に対し傾斜しており、前記梁を中心に前記係止部材を回動させて前記梁を弾性変形させるレバーと
を具備する固定部材
よりなる電子機器。
【請求項２】
前記筐体は長方形形状であり、
前記筐体の天面及び底面の、側面に近い部分にレール溝が設けられており、
前記本体部は前記レール溝に嵌合する突起を有し、前記筐体の前記側面に嵌め込まれて前記筐体の前記側面を平行移動可能である、
請求項１に記載の電子機器。
【請求項３】
前記固定部材は、剛性と弾性を兼ね備えた材料にて一体成形される、請求項１に記載の電子機器。
【発明の詳細な説明】
【技術分野】
【０００１】
本発明は、電子機器に関する。
より詳細には、電子機器本体を任意の板に取り付けて固定するための固定部材を有する電子機器に関する。
【背景技術】
【０００２】
出願人は、主に工場等の産業設備において、電圧、周波数、回転数等の様々な信号のアナログ値を数値化してデジタル表示する表示装置を製造販売している。この表示装置は、ユーザが自身の設備に容易に組み込むことができるように、ネジを使わない固定機構を有している。
【０００３】
図６と図７を参照して、出願人が製造販売している表示装置の固定機構について、説明する。
図６は、表示装置６０１を所定の板６０２に取り付ける手順を説明する概略図である。
図６に示すように、長方形形状の表示装置６０１には、その正面に樹脂製の筐体６０１ａより一回り大きい樹脂製のパネル６０１ｂが固定されている。筐体６０１ａの側面６０１ｃには、後述する固定部材と噛み合う鋸歯状のラック６０１ｄ（rack:歯竿）が形成されている。なお、楕円枠内はラック６０１ｄを一部拡大した図である。
【０００４】
図６では、表示装置６０１を任意の板６０２に取り付ける最初の手順を説明する。
先ず、予め任意の板６０２に筐体６０１ａと略同一サイズの穴６０２ａを開け、その穴６０２ａに筐体６０１ａを裏面側から挿し込む。この穴６０２ａは、表示装置６０１のパネル６０１ｂが素通りできない大きさであることが必要である。
【０００５】
図７Ａは、表示装置６０１を板６０２に取り付けた状態を横方向から見た概略図である。図７Ｂは、板６０２に取り付けた表示装置６０１を後方から見た一部概略図である。図７Ｃは、表示装置６０１を板６０２に取り付ける状態を説明する断面図である。
図７Ａに示すように、図６において板６０２に挿し込まれた表示装置６０１の裏面側から、固定部材７０１を挿し込む。固定部材７０１は、ポリカーボネイト等の、剛性と弾性を兼ね備える樹脂で一体成形されている。固定部材７０１の前方側には、板６０２を表示装置６０１のパネル６０１ｂと挟み込むための押圧部材７０１ａが形成されている。押圧部材７０１ａは、パンタグラフ形状の弾性変形する弾性部材７０１ｂを介して、把持部７０１ｃに繋がる。
【０００６】
固定部材７０１に設けられている把持部７０１ｃには、図７Ｂに示すように、表示装置６０１の天面及び底面の、側面６０１ｃに近い部分に設けられるレール溝６０１ｅ、６０１ｆと嵌合する突起７０１ｅ、７０１ｆが設けられている。そして図７Ｂ及び図７Ｃに示すように、把持部７０１ｃの中心には、その先端に、筐体６０１ａの側面６０１ｃに設けられているラック６０１ｄと噛み合う歯止め７０１ｇ（爪）を有する、弾性変形する係止部材７０１ｈが設けられている。
【０００７】
図７Ｃに示すように、ラック６０１ｄの歯は一方の辺が筐体６０１ａの正面側に傾斜し、他方の辺が垂直に形成されている。把持部７０１ｃに設けられている係止部材７０１ｈの先端に設けられている歯止め７０１ｇは、このラック６０１ｄの歯と噛み合う。固定部材７０１を筐体６０１ａの後方側から差し込み、先端の押圧部材７０１ａを壁の裏側に押し付けると、弾性部材７０１ｂの反発力がパネル６０１ｂと協働して壁を挟み込む。固定部材７０１は係止部材７０１ｈの歯止め７０１ｇとラック６０１ｄの歯が噛みあうことで、表示装置６０１から抜け落ちなくなる。すなわち、係止部材７０１ｈとラック６０１ｄは、ラチェットを構成する。
【０００８】
特許文献１には、本発明の従来技術に類似する、フック爪を有する電子機器の技術内容が開示されている。
【先行技術文献】
【特許文献】
【０００９】
【特許文献１】特開平９−３６５５５号公報
【特許文献２】実開昭６３−６０９１９号公報
【特許文献３】実開昭５７−１３０５０３号公報
【特許文献４】実公昭１８−２９４１号公報
【発明の概要】
【発明が解決しようとする課題】
【００１０】
図６及び図７にて説明したように、表示装置６０１は固定部材７０１を用いて、ネジを用いずとも容易に任意の板６０２や壁等に取り付けることができる。この固定機構は、ラック６０１ｄの長さが許す限り、板６０２の厚さに対しかなり柔軟に対応が可能である。ネジを用いる場合、このような取り付ける部材の厚みに対し、柔軟に対応することは容易ではない。
しかし、この固定部材７０１の係止部材７０１ｈは堅牢かつ強固に形成されており、取り外しが容易でない、という問題がある。
【００１１】
本発明はかかる課題を解決し、従来品と同様に筐体を固定する機能を保ちつつ、容易に取り外しができる固定部材を用いる電子機器を提供することを目的とする。
【課題を解決するための手段】
【００１２】
上記課題を解決するために、本発明の電子機器は、電子機器本体と固定部材よりなる。
電子機器本体は、天面及び底面の、側面に近い部分にレール溝が設けられていると共に、側面に鋸歯状のラックが形成されている、長方形形状の筐体と、筐体の正面に設けられ、筐体の正面及び背面より大きく形成されるパネルとを具備する。
固定部材は、レール溝に嵌合する突起を有し、筐体の側面に嵌め込む本体部と、本体部の前方に形成され、パネルと協働して任意の板等を挟み込む押圧部材と、押圧部材と本体部との間に設けられ、弾性変形する弾性部材と、本体部の後方に形成される梁と、梁の中心に形成され、ラックと噛み合う歯止めを有する係止部材と、係止部材に対し傾斜しており、梁を中心に係止部材を回動させて梁を弾性変形させるレバーとを具備する。
【発明の効果】
【００１３】
本発明により、従来品と同様に筐体を固定する機能を保ちつつ、容易に取り外しができる固定部材を用いる電子機器を提供することができる。
上記した以外の課題、構成及び効果は、以下の実施形態の説明により明らかにされる。
【図面の簡単な説明】
【００１４】
【図１】本発明の実施形態に係る表示装置と固定部材の外観斜視図である。
【図２】固定部材の外観斜視図である。
【図３】固定部材の上面図と、正面図と、側面図と、裏面図である。
【図４】固定部材の動作を説明する断面図である。
【図５】表示装置を板に取り付けた状態を横方向から見た概略図と、板に取り付けた表示装置を後方から見た一部概略図と、表示装置を板から取り外す状態を説明する断面図と、表示装置を板から取り外す際に固定部材が変形する状態を説明する断面図である。
【図６】表示装置を所定の板に取り付ける手順を説明する概略図である。
【図７】表示装置を板に取り付けた状態を横方向から見た概略図と、板に取り付けた表示装置を後方から見た一部概略図と、表示装置を板に取り付ける状態を説明する断面図である。
【発明を実施するための形態】
【００１５】
図１は、本発明の実施形態に係る表示装置１０１と固定部材１０２の外観斜視図である。
図２は、固定部材１０２の外観斜視図である。
図３Ａは、固定部材１０２の上面図である。図３Ｂは、固定部材１０２の正面図である。図３Ｃは、固定部材１０２の側面図である。図３Ｄは、固定部材１０２の裏面図である。
【００１６】
図１に示す表示装置１０１（電子機器本体）は、表示装置１０１の天面及び底面の、側面に近い部分にレール溝１０１ｅ、１０１ｆ（図５Ｂ参照）、１０１ｇが設けられる点、及び表示装置１０１の筐体１０１ａの側面１０１ｃに、固定部材１０２と噛み合う鋸歯状のラック１０１ｄが形成されている点は同じである。そして、レール溝１０１ｅ、１０１ｆに対応する固定部材１０２も、従来技術に係る固定部材７０１（図７参照）と同様に、表示装置１０１のレール溝１０１ｅ、１０１ｆと嵌合する突起１０２ｅ、１０２ｆが設けられている。
【００１７】
図１、図２及び図３に示す固定部材１０２は、従来技術に係る固定部材７０１と同様、ポリカーボネイト等の、剛性と弾性を兼ね備える樹脂で一体成形されている。固定部材１０２の前方側には、板等を表示装置１０１のパネル１０１ｂと挟み込むための押圧部材１０２ａが形成されている。押圧部材１０２ａは、略楕円形状の弾性変形する弾性部材１０２ｂを介して、コの字状の本体部１０２ｃに繋がる。弾性部材１０２ｂは、図７に示した従来のものと若干形状は異なるものの、弾性変形する機能は等しい。
なお、固定部材１０２の材質は、ポリカーボネイトに限らない。剛性と弾性を兼ね備える材質であれば、ポリカーボネイト以外の樹脂でもよいし、また樹脂に限らず、ステンレスやクロムモリブデン鋼等の金属薄板を板金加工して形成してもよい。
【００１８】
図１、図２及び図３に示す固定部材１０２の、図７にて説明した従来技術に係る固定部材７０１との大きな違いは、歯止め１０２ｇを有する、弾性変形する係止部材１０２ｈの形状である。
コの字状の本体部１０２ｃの後方には梁１０２ｄが設けられ、係止部材１０２ｈはこの梁１０２ｄの中心に形成される。そして、係止部材１０２ｈは梁１０２ｄと相対するレバー１０２ｉを有する。図２、図３Ｃ及び図４を見て判るように、レバー１０２ｉは、本体部１０２ｃ及び係止部材１０２ｈに平行な平面に対して、傾斜している。
係止部材１０２ｈの先端には、筐体１０１ａの側面１０１ｃに設けられているラック１０１ｄと噛み合う歯止め１０２ｇが設けられている。
【００１９】
図５Ｃ及び図５Ｄにて後述するが、ラック１０１ｄの歯は図７Ｃのラック６０１ｄと同様に、一方の辺が筐体１０１ａの正面側に傾斜し、他方の辺が垂直に形成されている。係止部材１０２ｈの先端に設けられている歯止め１０２ｇは、このラック１０１ｄの歯と噛み合う。固定部材１０２を筐体１０１ａの後方側から差し込み、先端の押圧部材１０２ａを壁の裏側に押し付けると、弾性部材１０２ｂの反発力がパネル１０１ｂと協働して壁を挟み込む。固定部材１０２は係止部材１０２ｈの歯止め１０２ｇとラック１０１ｄの歯が噛みあうことで、表示装置１０１から抜け落ちなくなる。すなわち、係止部材１０２ｈとラック１０１ｄは、ラチェットを構成する。
【００２０】
図４は、固定部材１０２の動作を説明する断面図である。
図５Ａは、表示装置１０１を板６０２に取り付けた状態を横方向から見た概略図である。図５Ｂは、板６０２に取り付けた表示装置１０１を後方から見た一部概略図である。図５Ｃは、表示装置１０１を板６０２から取り外す状態を説明する断面図である。図５Ｄは、表示装置１０１を板６０２から取り外す際に固定部材１０２が変形する状態を説明する断面図である。
【００２１】
一目見て判るように、図５Ａ及び図５Ｂは、従来技術における図７Ａ及び図７Ｂと略同じである。すなわち、本発明の実施形態に係る固定部材１０２は、表示装置１０１を固定する機能において、図７にて説明した従来技術に係る固定部材７０１と変わらない。
本発明の実施形態に係る固定部材１０２の、従来技術に係る固定部材７０１に対する優位点は、表示装置１０１を板から取り外す際の機能である。
図４、図５Ｃ及び図５Ｄに示すように、係止部材１０２ｈはテコの原理により、傾斜しているレバー１０２ｉを押すことで、梁１０２ｄを中心にシーソー的に回動する。この時、梁１０２ｄには捻じれの弾性変形が生じる。すると、表示装置１０１の筐体１０１ａの側面１０１ｃに設けられているラック１０１ｄと噛み合う係止部材１０２ｈの解除ができる。
【００２２】
図７にて説明した従来技術に係る固定部材７０１は、表示装置６０１を取り外す際に、押圧部材７０１ａに形成される係止部材７０１ｈをラック６０１ｄから外すための力の方向が、係止部材７０１ｈを表示装置６０１から引き剥がす方向であった。このため、ラック６０１ｄから係止部材７０１ｈを外すための力が入れにくい。これに比べると、本発明の実施形態に係る固定部材１０２は、表示装置１０１を取り外す際に、押圧部材１０２ａに形成される係止部材１０２ｈを外すための力の方向が、レバー１０２ｉを表示装置１０１へ押さえつける方向である。ラック１０１ｄから係止部材１０２ｈを外すには、レバー１０２ｉを筐体１０１ａへ押し付けるだけでよく、またテコの原理により僅かな力で係止部材１０２ｈを外すことができる。
【００２３】
本発明の実施形態では、表示装置１０１を任意の板や壁等に固定するための固定部材１０２を開示した。
表示装置１０１の筐体１０１ａの側面１０１ｃに設けられているラック１０１ｄと、固定部材１０２の係止部材１０２ｈの先端に設けられている、ラック１０１ｄに噛み合う歯止め１０２ｇは、ラチェットを構成する。係止部材１０２ｈはレバー１０２ｉを押すことで、弾性変形する梁１０２ｄを中心に回動する。固定部材１０２は、レバー１０２ｉを筐体１０１ａの方向へ軽く押し込むだけで、ラチェットの解除ができる。
【００２４】
本発明の実施形態においては、表示装置１０１と固定部材１０２がレール溝１０１ｅ、１０１ｆ、１０１ｇ及び突起１０２ｅ、１０２ｆによって筐体側面１０１ｃに嵌合する形態が開示されたが、応用例として、例えば天面及び底面において嵌合してもよい。また、本発明の実施形態においてはそれぞれの筐体側面１０１ｃについて１つずつ、合計２つの固定部材１０２を有する形態が開示されたが、応用例として、例えば両側面に配置していた固定部材を一体１０２として、コの字状又は筒状に形成してもよい。この場合、必ずしも筐体１０１ａにレール溝１０１ｅ、１０１ｆ、１０１ｇは必要ではなくなる。
すなわち、筐体１０１ａが楕円柱や四角柱等の柱体であり、固定部材１０２が筐体１０１ａを構成する柱体の側面を巻回する形状であり、固定部材１０２が筐体１０１ａを構成する柱体の底面の中心から回動できない構造であれば、筐体１０１ａにレール溝を設けなくとも、固定部材１０２は柱体である筐体１０１ａの側面を平行移動することができる。そして、筐体１０１ａの側面の一部に形成したラック１０１ｄと、ラチェットを構成することもできる。
【００２５】
以上、本発明の実施形態について説明したが、本発明は上記実施形態に限定されるものではなく、特許請求の範囲に記載した本発明の要旨を逸脱しない限りにおいて、他の変形例、応用例を含む。
【符号の説明】
【００２６】
１０１…表示装置、１０１ａ…筐体、１０１ｂ…パネル、１０１ｃ…側面、１０１ｄ…ラック、１０１ｅ、１０１ｆ、１０１ｇ…レール溝、１０２…固定部材、１０２ａ…押圧部材、１０２ｂ…弾性部材、１０２ｃ…本体部、１０２ｄ…梁、１０２ｅ、１０２ｆ…突起、１０２ｇ…歯止め、１０２ｈ…係止部材、１０２ｉ…レバー、６０２…板、６０２ａ…穴
【図１】
2018037609.tif 000003
【図２】
2018037609.tif 000004
【図３】
2018037609.tif 000005
【図４】
2018037609.tif 000006
【図５】
2018037609.tif 000007
【図６】
2018037609.tif 000008
【図７】
2018037609.tif 000009